(57)【要約】【課題】バッテリ装着用アダプタが多くの態様で保持されるバッテリアダプタを提供する。【解決手段】バッテリアダプタ１は、バッテリＶを装着可能なバッテリ装着部１２を有するバッテリ装着用アダプタ２と、バッテリ装着用アダプタ２と、外部機器取付用アダプタとに接続される電源コード６と、を備えている。バッテリ装着用アダプタ２は、第１フック１６と、第２フック１８とを有している。第２フック１８は、バッテリ装着用アダプタ２に対して、左被取付部及び右被取付部の周りで回転可能とされることで姿勢変化可能に保持されている。【選択図】図２
2020135997.tif 000002
【特許請求の範囲】
【請求項１】
バッテリを装着可能なバッテリ装着部を有するバッテリ装着用アダプタと、
前記バッテリ装着用アダプタと、外部機器又は外部機器取付用アダプタとに接続される電源コードと、
を備えており、
前記バッテリ装着用アダプタは、第１フックと、第２フックとを有している
ことを特徴とするバッテリアダプタ。
【請求項２】
前記第２フックは、前記バッテリ装着用アダプタに対して姿勢変化可能に保持されている
ことを特徴とする請求項１に記載のバッテリアダプタ。
【請求項３】
前記第２フックは、前記第１フックに対して保持されている
ことを特徴とする請求項１又は請求項２に記載のバッテリアダプタ。
【請求項４】
バッテリを装着可能なバッテリ装着部を有するバッテリ装着用アダプタと、
前記バッテリ装着用アダプタと、外部機器又は外部機器取付用アダプタとに接続される電源コードと、
前記バッテリ装着用アダプタに対して姿勢変化可能に保持されるフックと、
を備えており、
前記バッテリ装着用アダプタは、第１ハウジングと、前記第１ハウジングに固定される第２ハウジングと、を有しており、
前記フックは、
前記第１ハウジングに対して前記第２ハウジングが分離する方向において前記第２ハウジングと重ならない分離時非干渉姿勢をとることが可能であり、
前記分離時非干渉姿勢をとらないと、前記第１ハウジングに対して前記第２ハウジングが分離する方向において前記第１ハウジング及び前記第２ハウジングと重なる
ことを特徴とするバッテリアダプタ。
【請求項５】
前記フックは、切れ目のあるリング状であり、
前記第１ハウジングは、前記フックの一端を取り付ける第１取付部を有しており、
前記第２ハウジングは、前記フックの他端を取り付ける第２取付部を有しており、
前記フックは、前記第１取付部のみに取り付けられた状態で、前記分離時非干渉姿勢をとることが可能である
ことを特徴とする請求項４に記載のバッテリアダプタ。
【請求項６】
前記フックは、前記バッテリ装着用アダプタに設けられており他の部分に対して突出する突出部に対して保持されている
ことを特徴とする請求項４又は請求項５に記載のバッテリアダプタ。
【請求項７】
前記突出部は、前記バッテリ装着用アダプタに設けられた他のフックの一部である
ことを特徴とする請求項６に記載のバッテリアダプタ。
【請求項８】
前記外部機器は、電動工具である
ことを特徴とする請求項１ないし請求項７の何れかに記載のバッテリアダプタ。
【発明の詳細な説明】
【技術分野】
【０００１】
本発明は、スクリュードライバ等の外部機器に対して、コードを接続することで、装着されたバッテリの電力を供給可能なバッテリアダプタに関する。
【背景技術】
【０００２】
電動工具のバッテリを装着可能なバッテリ装着用アダプタと、電動工具等の外部機器のバッテリ取付部に取り付けられる外部機器取付用アダプタと、これらを結ぶ中継コードとを備えたバッテリアダプタとして、下記非特許文献１に記載のものが知られている。
このバッテリアダプタは、バッテリ装着用アダプタに装着されたバッテリの電力を、中継コード及び外部機器取付用アダプタを介して、外部機器に供給する。
バッテリ装着用アダプタは、そのハウジングと一体のフックを備えており、フックをベルト等にかけることで、作業者側に保持可能である。
【先行技術文献】
【特許文献】
【０００３】
【非特許文献１】「マキタ総合カタログ２０１８」ｐ．３１，「バッテリアダプタＢＡＰ１８」、［平成３１年１月２５日検索］、インターネット＜https://ecatalog.makita.co.jp/html/administrator/20/#31＞
【発明の概要】
【発明が解決しようとする課題】
【０００４】
上記のバッテリアダプタでは、バッテリ装着用アダプタのハウジングと一体のフックが１つしかなく、バッテリ装着用アダプタを掛ける箇所が限定される。
そこで、本発明の主な目的は、バッテリ装着用アダプタが多くの態様で保持されるバッテリアダプタを提供することである。
【課題を解決するための手段】
【０００５】
上記目的を達成するために、請求項１に記載の発明は、バッテリを装着可能なバッテリ装着部を有するバッテリ装着用アダプタと、前記バッテリ装着用アダプタと、外部機器又は外部機器取付用アダプタとに接続される電源コードと、を備えており、前記バッテリ装着用アダプタは、第１フックと、第２フックとを有していることを特徴とするものである。
請求項２に記載の発明は、上記発明において、前記第２フックは、前記バッテリ装着用アダプタに対して姿勢変化可能に保持されていることを特徴とするものである。
請求項３に記載の発明は、上記発明において、前記第２フックは、前記第１フックに対して保持されていることを特徴とするものである。
請求項４に記載の発明は、バッテリを装着可能なバッテリ装着部を有するバッテリ装着用アダプタと、前記バッテリ装着用アダプタと、外部機器又は外部機器取付用アダプタとに接続される電源コードと、前記バッテリ装着用アダプタに対して姿勢変化可能に保持されるフックと、を備えており、前記バッテリ装着用アダプタは、第１ハウジングと、前記第１ハウジングに固定される第２ハウジングと、を有しており、前記フックは、前記第１ハウジングに対して前記第２ハウジングが分離する方向において前記第２ハウジングと重ならない分離時非干渉姿勢をとることが可能であり、前記分離時非干渉姿勢をとらないと、前記第１ハウジングに対して前記第２ハウジングが分離する方向において前記第１ハウジング及び前記第２ハウジングと重なることを特徴とするものである。
請求項５に記載の発明は、上記発明において、前記フックは、切れ目のあるリング状であり、前記第１ハウジングは、前記フックの一端を取り付ける第１取付部を有しており、前記第２ハウジングは、前記フックの他端を取り付ける第２取付部を有しており、前記フックは、前記第１取付部のみに取り付けられた状態で、前記分離時非干渉姿勢をとることが可能であることを特徴とするものである。
請求項６に記載の発明は、上記発明において、前記フックは、前記バッテリ装着用アダプタに設けられており他の部分に対して突出する突出部に対して保持されていることを特徴とするものである。
請求項７に記載の発明は、上記発明において、前記突出部は、前記バッテリ装着用アダプタに設けられた他のフックの一部であることを特徴とするものである。
請求項８に記載の発明は、上記発明において、前記外部機器は、電動工具であることを特徴とするものである。
【発明の効果】
【０００６】
本発明の主な効果は、バッテリ装着用アダプタが多くの態様で保持されるバッテリアダプタが提供されることである。
【図面の簡単な説明】
【０００７】
【図１】本発明の第１形態に係るバッテリアダプタ及びバッテリ並びに外部機器としてのスクリュードライバの斜視図である。
【図２】図１におけるバッテリアダプタのバッテリ装着用アダプタの（Ａ）上方からの斜視図、（Ｂ）右側面図、（Ｃ）分解不能状態の斜視説明図である。
【図３】図２におけるバッテリ装着用アダプタの下方からの斜視図である。
【図４】図２におけるバッテリ装着用アダプタの分解斜視図である。
【図５】（Ａ）〜（Ｃ）は分解可能状態に係る図２同様図である。
【図６】本発明の第２形態に係るバッテリ装着用アダプタの上方からの斜視図である。
【図７】図６におけるバッテリ装着用アダプタの分解斜視図である。
【発明を実施するための形態】
【０００８】
以下、本発明の実施の形態及びその変更例が、適宜図面に基づいて説明される。
当該形態及び変更例における前後上下左右は、説明の便宜上定めたものであり、使用状況及び移動する部材の状態の少なくとも一方等により変化することがある。
又、本発明は、下記の形態及び変更例に限定されない。
【０００９】
［第１形態］
図１は、本発明の第１形態に係るバッテリアダプタ１及びバッテリＶ、並びに、外部機器の一例であるスクリュードライバＳＤの斜視図である。図２は、バッテリアダプタ１のバッテリ装着用アダプタの（Ａ）上方からの斜視図、（Ｂ）右側面図、（Ｃ）分解不能状態の斜視説明図である。図３は、バッテリ装着用アダプタの下方からの斜視図である。図４は、バッテリ装着用アダプタの分解斜視図である。図５（Ａ）〜（Ｃ）は、分解可能状態に係る図２同様図である。
ここでは、バッテリアダプタ１の向きは、説明の便宜上、バッテリ装着用アダプタ２に装着されたバッテリＶを下にして置き、真っ直ぐにされた電源コード６が前後に延びており、電源コード６からみてバッテリ装着用アダプタ２がある側が前側であるものとされる。即ち、図２（Ｂ）の右がバッテリアダプタ１の前であり、上がバッテリアダプタ１の上である。尚、図１において、スクリュードライバＳＤの方向及びバッテリアダプタ１の方向が併記されている。図１におけるバッテリアダプタ１の方向は、バッテリ装着用アダプタ２に基づいている。
【００１０】
バッテリアダプタ１は、充電式電動工具のバッテリを装着可能なバッテリ装着用アダプタ２と、スクリュードライバＳＤ等の外部機器に取り付けられる外部機器取付用アダプタ４と、これらを結ぶ電源コード６と、を有する。
【００１１】
バッテリ装着用アダプタ２は、ブロック状のバッテリ装着用アダプタ本体部１０と、その下部に設けられるバッテリ装着部１２と、バッテリ装着用アダプタ本体部１０の後部に設けられる電源コード連結部１４と、バッテリ装着用アダプタ本体部１０の前上部から上方及び後方に突出する第１フック１６と、その根元（突出部１６Ｊ）から前方に配置されたリング状の第２フック１８と、を有する。尚、図１において、第２フック１８の図示が省略されている。
バッテリ装着用アダプタ本体部１０の外郭は、半割である左本体部ハウジング２０Ｌ（第１ハウジング）と右本体部ハウジング２０Ｒ（第２ハウジング）とを組み合わせた樹脂製の本体部ハウジング２０を含む。左本体部ハウジング２０Ｌには複数（２個）のネジボス２２が形成されており、右本体部ハウジング２０Ｒには各ネジボス２２に対応するネジ孔２４が開けられており、対となっているネジボス２２及びネジ孔２４にネジ２６が入ることで、左本体部ハウジング２０Ｌと右本体部ハウジング２０Ｒとが合わせられている。
【００１２】
バッテリ装着部１２は、本体部ハウジング２０に保持された板状のターミナル３０の下部が、本体部ハウジング２０の下部に形成された開口凹部２０ａから露出することで形成される。
バッテリ装着部１２に装着されるバッテリＶは、ここでは電動工具用であるリチウムイオンバッテリであり、バッテリセルが複数収められたものである。尚、バッテリＶは、リチウムイオンバッテリ以外のバッテリであっても良いし、単数のバッテリセルを有するものであっても良い。又、１個のバッテリ装着用アダプタ２において、複数のバッテリＶが装着可能とされていても良い。この場合、複数のバッテリＶを装着可能な１箇所のバッテリ装着部１２が設けられても良いし、バッテリ装着部１２が複数箇所設けられても良い。又、異なる種類のバッテリＶが複数装着可能とされていても良い。
バッテリＶは、装着状態で、上面前部において上方に膨らむ膨出部ＶＰを有しており、膨出部ＶＰの前側において上下方向に操作可能なバッテリレバーＶＬを有している。バッテリレバーＶＬは、膨出部ＶＰの上側に露出するバッテリ係止部（バッテリ爪，図示略）を有していると共に、図示されない弾性体（バネ）により上方に付勢されており、上方に位置しているとバッテリ爪が上方へ突出し、付勢力に抗して下方に操作されるとバッテリ爪が引っ込むようになっている。
バッテリ装着部１２は、複数（ここでは２本）のスライドレール２０ｂを左右に備えている。左右のスライドレール２０ｂは、本体部ハウジング２０の開口凹部２０ａの左部及び右部として形成される。各スライドレール２０ｂは、前後方向に延びており、バッテリＶの上部側面（膨出部ＶＰ以外）の対応する位置に形成されている複数のスライド溝（図示略）に入る。即ち、各スライドレール２０ｂは、その端部をスライド溝の端部に入れ、スライド溝に従ったスライドを行うことにより、バッテリＶのスライド溝に入り込む。スライド溝にスライドレール２０ｂが入るようにしてバッテリＶがスライドされ、バッテリ装着部１２の前端部に膨出部ＶＰの後側が接触すると、バッテリ爪がバッテリ装着部１２の前端部に形成されたバッテリ被係止部としての凹部２０ｃに係止して、バッテリ装着用アダプタ２にバッテリＶが装着される。
又、バッテリＶは、金属製の電源端子が内部に配置された端子溝（図示略）を、一対、有している。各端子溝は、前後方向に延びており、左右のスライド溝の間に配置されている。他方、ターミナル３０は、下面から下方に突出する一対の金属製の端子レール３０ａ，３０ｂを有している。端子レール３０ａ，３０ｂは、前後方向に延びており、左右のスライドレール２０ｂの間に配置されている。バッテリＶは、各端子溝が対応する端子レール３０ａ，３０ｂに入るように装着され、装着時、各端子溝の電源端子が端子レール３０ａ，３０ｂと接触して電気的に接続される。尚、ターミナル３０におけるベース部（端子レール３０ａ，３０ｂ及びこれに電気的につながる部材以外の部分）は、非導電性の樹脂製である。
【００１３】
電源コード連結部１４は、電源コード６の前端部である円柱状のバッテリ装着用アダプタ側端部６Ａを受け入れる。
即ち、バッテリ装着用アダプタ側端部６Ａの前端には、他の部分より径方向外方に突出するフランジ４０が形成されている。又、フランジ４０の左半部が入る窪み部４２が、左本体部ハウジング２０Ｌの後端部内面に形成されている。更に、フランジ４０の右半部を押さえるコード押さえ片４４が、窪み部４２に対向するように配置されている。窪み部４２の上下と、コード押さえ片４４の上下とには、順にネジ穴４２ａ，ネジ孔４４ａが開けられており、対となるネジ穴４２ａ，ネジ孔４４ａにネジ４６が通されて、コード押さえ片４４が固定され、フランジ４０を介してバッテリ装着用アダプタ側端部６Ａが電源コード連結部１４に固定される。
電源コード６は、一対の電源線（図示略）を有しており、それらの電源線は、ターミナル３０の端子レール３０ａ，３０ｂ（に電気的につながる部材）の対応する一方に電気的に接続されている。
【００１４】
第１フック１６の根元は、バッテリ装着用アダプタ本体部１０の上面から上方に突出する突出部１６Ｊとなっている。
第１フック１６は、左本体部ハウジング２０Ｌと一体である第１フック基部１６Ｌと、右本体部ハウジング２０Ｒと一体である第１フック付加部１６Ｒと、これらの内部において渡される補強用のプレート４８と、を有する。
第１フック基部１６Ｌは、第１フック１６の右前部を除く大部分を占める。第１フック基部１６Ｌの右部は、左本体部ハウジング２０Ｌの他の部分に対して右方に突出しており、その根元（右前部）は、第１フック基部１６Ｌの左前部に対して薄くなっている。第１フック基部１６Ｌは、その左前部の左面から右方へ延びる第２フック取付用左孔（第２フック１８の第１取付部，図示略）が開けられている。
第１フック付加部１６Ｒは、第１フック１６の右前部を占める。第１フック付加部１６Ｒは、左本体部ハウジング２０Ｌと右本体部ハウジング２０Ｒとが組み合った際、第１フック基部１６Ｌの右前部に配置され、第１フック付加部１６Ｒの外面は、第１フック基部１６Ｌの外面と連続する。第１フック付加部１６Ｒの後面は、前下がりの斜行面１６ａとなっており、その上下方向における中央には、左右に貫通し前方に凹む第２フック用溝１６ｂが形成されている。左本体部ハウジング２０Ｌと右本体部ハウジング２０Ｒとが組み合うと、第２フック用溝１６ｂの前側に第１フック基部１６Ｌの右前部が位置して、左右に延びる第２フック取付用右孔（第２フック１８の第２取付部）が形成される。
プレート４８は、断面逆“Ｌ”字状の折り曲げ板状であり、第１フック基部１６Ｌの根元内と第１フック付加部１６Ｒ内とに配置されている。プレート４８は、第２フック取付用左孔の前側及び上側並びに第２フック用溝１６ｂの前側及び上側に配置される。
第１フック１６の後端部の下側であって、バッテリ装着用アダプタ本体部１０の上面には、当該上面から上方に突出し左右に延びる突条１０ａが設けられている。突条１０ａは、左本体部ハウジング２０Ｌ及び右本体部ハウジング２０Ｒに形成されている。突条１０ａは、三角柱状に形成されており、その前面及び後面は、前上がりとなっていて、突条１０ａは、第１フック１６の延びる方向（根元即ち突出部１６Ｊから先端への方向即ち後方）に対向するようになっており、即ち自身の根元である下端部に対し先端部である上端部が前方に突出するようになっている。第１フック１６の前後に延びる部分は、樹脂で形成されて、特に第１フック１６の突出部１６Ｊの周りでの上下の変形に対して弾性を呈する。第１フック１６の前後に延びる部分は、より詳細には、前端から先端部間際までの部分が後下がりとなると共に、先端部との境界部が折れ曲がって、先端部が後上がりとなっている。突条１０ａの上端部は、自然状態の第１フック１６の先端部の下面に接触している。
【００１５】
第２フック１８は、ここでは切れ目の入った楕円状あるいは“Ｄ”字状である金属製の部材であり、切れ目の左側に配置されて左右に延びる左被取付部１８Ｌと、その左端から図２〜図４の状態で後方及び下方に延びて側面視で“Ｌ”字状となる左部１８ａと、左部１８ａの下端から右方に延びる架設部１８ｂと、その右端から上方及び後方に延びて側面視で“Ｌ”字状となる右部１８ｃと、右部１８ｃの後端から左方に延びて切れ目に達する右被取付部１８Ｒと、を有する。
架設部１８ｂは、第１フック１６（の突出部１６Ｊ）の左右方向の幅より僅かに（例えば２ｍｍ（ミリメートル））大きい。
第２フック１８は、左被取付部１８Ｌを第２フック取付用左孔に入れ、右被取付部１８Ｒを第２フック用溝１６ｂ（第２フック取付用右孔）に入れることで、第１フック１６の根元である突出部１６Ｊにおいて、左被取付部１８Ｌ及び右被取付部１８Ｒの周りで回転可能に保持される。第２フック１８は、架設部１８ｂがバッテリ装着用アダプタ本体部１０の前面に当たる姿勢（図２〜図４の姿勢，最大前傾姿勢）から、架設部１８ｂが第１フック１６の上面に当たる姿勢（図５より更に架設部１８ｂが第１フック１６に近づいた姿勢）まで回転可能である。
【００１６】
図２（Ｃ）に示されるように、常態では、ネジ２６が外れること等により左本体部ハウジング２０Ｌと右本体部ハウジング２０Ｒとが分離しようとしても、第１フック付加部１６Ｒが第２フック１８の右部１８ｃに引っ掛かり、又第１フック基部１６Ｌの根元が第２フック１８の左部１８ａに引っ掛かって、これらの分離が阻止されることとなる。
他方、図５に示されるように、第２フック１８が最大前傾姿勢から所定角度回転した姿勢（架設部１８ｂが所定の位置となった姿勢）となると、第２フック１８が、第１フック付加部１６Ｒに対し、左本体部ハウジング２０Ｌから右本体部ハウジング２０Ｒが分離する方向（左右方向，左から右への方向）において重ならない状態となる。即ち、図５の姿勢で、第２フック１８の右部１８ｃの各後上部及び各前部の後半が、第１フック付加部１６Ｒの斜行面１６ａより後方に位置する。又、右部１８ｃの各前部の前半が、第２フック用溝１６ｂの横断面形状に合致する姿勢となる。かような第２フック１８の姿勢は、以下分離時非干渉姿勢と適宜呼ばれる。
かように第２フック１８が、第１フック付加部１６Ｒに対し、右方からみて重ならない状態となると、図５（Ｃ）に示されるように、右本体部ハウジング２０Ｒが、左本体部ハウジング２０Ｌに対して右方に引かれることで、左本体部ハウジング２０Ｌから分離可能となる。
バッテリ装着用アダプタ２の組立時、左本体部ハウジング２０Ｌにおいて第１フック基部１６Ｌの第２フック取付用左孔に第２フック１８の左被取付部１８Ｌが入れられ、第２フック１８が第２フック取付部非干渉姿勢とされ、又プレート２８がセットされた状態で、左本体部ハウジング２０Ｌに右本体部ハウジング２０Ｒが近づけられて重ねられ、互いに重なった各ネジボス２２及びネジ孔２４にネジ２６が入れられることで、第２フック１８が取り付けられる。
【００１７】
外部機器取付用アダプタ４は、バッテリＶと同様に、膨出部４Ｐ（後上部）と、レバー４Ｌ、アダプタ爪及び弾性体と、各スライド溝と、電源端子付きの各端子溝と、を有している。外部機器取付用アダプタ４の前端部には、電源コード６の外部機器取付用アダプタ側端部６Ｂが接続される。電源コード６の各電源線は、外部機器取付用アダプタ４の対応する電源端子と電気的に接続されている。
他方、スクリュードライバＳＤ等の外部機器は、バッテリ装着用アダプタ２のバッテリ装着部１２と同様に、スライドレールと、端子レール付きのターミナルと、を有するバッテリ装着部ＳＤＩを備えている。
外部機器取付用アダプタ４は、各スライド溝が対応するスライドレールに入り、各端子溝が対応する端子レールに入るようにしてバッテリ装着部ＳＤＩに装着され、装着時、各端子溝の電源端子が端子レールと接触して電気的に接続される。よって、スクリュードライバＳＤ等の外部機器が、そのバッテリ装着部ＳＤＩの各端子レール、外部機器取付用アダプタ４の各電源端子、電源コード６の各電源線、及びバッテリ装着用アダプタ２のバッテリ装着部１２の各端子レールを介して、バッテリＶの電源端子と電気的に接続される。  外部機器取付用アダプタ４は、バッテリセルを備えておらず、バッテリＶより軽い（例えば５００グラム軽い）ものとなっている。
尚、スクリュードライバＳＤ等の外部機器と電源コード６の後端部（外部機器取付用アダプタ側端部６Ｂ）とにおいて互いに連結可能な接続端子がそれぞれ設けられて、バッテリアダプタ１において外部機器取付用アダプタ４が省略されても良い。又、外部機器取付用アダプタ４と電源コード６の外部機器取付用アダプタ側端部６Ｂとにおいて互いに連結可能な接続端子がそれぞれ設けられて、電源コード６が外部機器取付用アダプタ４に対して着脱可能とされても良い。更に、バッテリ装着用アダプタ２と電源コード６のバッテリ装着用アダプタ側端部６Ａとにおいて互いに連結可能な接続端子がそれぞれ設けられて、電源コード６がバッテリ装着用アダプタ２に対して着脱可能とされても良い。
【００１８】
上述のバッテリアダプタ１の動作例が説明される。
作業者が、外部機器取付用アダプタ４をスクリュードライバＳＤの外部機器に装着し、バッテリ装着用アダプタ２のバッテリ装着部１２にバッテリＶを装着すると、バッテリＶの電力が、バッテリ装着用アダプタ２、電源コード６、及び外部機器取付用アダプタ４を介してスクリュードライバＳＤの外部機器に供給され、スクリュードライバＳＤの外部機器が使用可能となる。
作業者は、第１フック１６を作業者自身に巻いたベルト等に掛けることで、あるいは第２フック１８を作業現場のフック等に掛けることで、バッテリＶ付きのバッテリ装着用アダプタ２を作業者自身等に保持し、バッテリＶ付きのバッテリ装着用アダプタ２の重量が外部機器ではなく作業者自身等にかかるようにすることができる。よって、作業者は、スクリュードライバＳＤの外部機器を、外部機器にバッテリＶを装着した場合に比べてより軽い状態で使用することができる。特に、スクリュードライバＳＤ等で天井等の離隔箇所にネジ締め等の作業を行うような場合、外部機器の軽量化の効果は大きく、作業者の負担が顕著に軽減される。又、作業者は、第１フック１６あるいは第２フック１８でバッテリＶ付きのバッテリ装着用アダプタ２を掛けることができ、作業現場の環境及び作業者の状態の少なくとも何れか等に応じた態様でバッテリＶ付きのバッテリ装着用アダプタ２を掛けることができる。
又、第１フック１６の対向面に突条１０ａが設けられているため、第１フック１６による掛止時にベルト等の被掛止体がしっかり保持され、バッテリＶ付きのバッテリ装着用アダプタ２が一層確実に被掛止体に掛けられる。
【００１９】
以上のバッテリアダプタ１は、バッテリＶを装着可能なバッテリ装着部１２を有するバッテリ装着用アダプタ２と、バッテリ装着用アダプタ２と、外部機器取付用アダプタ４とに接続される電源コード６と、を備えており、バッテリ装着用アダプタ２は、第１フック１６と、第２フック１８とを有している。よって、バッテリアダプタ１では、バッテリＶを装着可能なバッテリ装着用アダプタ２は、第１フック１６が掛けられる態様と、第２フック１８が掛けられる態様と、において保持され、作業者は、状況に応じて、何れかの態様を選択することができる。
又、第２フック１８は、バッテリ装着用アダプタ２に対して、左被取付部１８Ｌ及び右被取付部１８Ｒの周りで回転可能とされることで姿勢変化可能に保持されている。よって、バッテリ装着用アダプタ２は、第２フック１８によって、壁面若しくは斜面又はロープの先端に設置された作業現場のフック等にも掛けることができる。
更に、第２フック１８は、第１フック１６に対して保持されている。よって、第１フック１６及び第２フック１８を有するバッテリ装着用アダプタ２がよりコンパクトになる。
【００２０】
加えて、バッテリアダプタ１は、バッテリＶを装着可能なバッテリ装着部１２を有するバッテリ装着用アダプタ２と、バッテリ装着用アダプタ２と、外部機器取付用アダプタ４とに接続される電源コード６と、バッテリ装着用アダプタ２に対して姿勢変化可能に保持される第２フック１８と、を備えており、バッテリ装着用アダプタ２は、左本体部ハウジング２０Ｌと、左本体部ハウジング２０Ｌに固定される右本体部ハウジング２０Ｒと、を有しており、第２フック１８は、左本体部ハウジング２０Ｌに対して右本体部ハウジング２０Ｒが分離する方向（右方）において右本体部ハウジング２０Ｒと重ならない分離時非干渉姿勢（図５）をとることが可能であり、分離時非干渉姿勢をとらないと、左本体部ハウジング２０Ｌに対して右本体部ハウジング２０Ｒが分離する方向（右方）において左本体部ハウジング２０Ｌ及び右本体部ハウジング２０Ｒと重なる。よって、常態では、左本体部ハウジング２０Ｌに対して右本体部ハウジング２０Ｒが分離しようとしても、第２フック１８が右本体部ハウジング２０Ｒに干渉して分離が阻止され、左本体部ハウジング２０Ｌ及び右本体部ハウジング２０Ｒの合一状態が維持されて、ネジボス２２、ネジ孔２４及びネジ２６の少なくとも何れかの故障時等の非常時にも合一状態が得られる。又、切れ目のあるリング状の第２フック１８が切れ目において広げられて本体部ハウジング２０の孔に入れられる場合に比べ、バッテリアダプタ１では組立時に第２フック１８が切れ目で広げられて変形される必要がなく、よって第２フック１８が自然に取り付けられるし、取付長さ（左被取付部１８Ｌの左右の長さ及び右被取付部１８Ｒの左右の長さ）がより長く確保される。
又、第２フック１８は、切れ目のあるリング状であり、左本体部ハウジング２０Ｌは、第２フック１８の一端である左被取付部１８Ｌを取り付ける第２フック取付用左孔を有しており、右本体部ハウジング２０Ｒは、第２フック１８の他端である右被取付部１８Ｒを取り付ける第２フック用溝１６ｂを有しており、第２フック１８は、第２フック取付用左孔のみに取り付けられた状態で、分離時非干渉姿勢をとることが可能である。よって、分離時干渉姿勢と分離時非干渉姿勢とをとり得る第２フック１８が、本体部ハウジング２０に、一層取り付け易くなる。
更に、第２フック１８は、バッテリ装着用アダプタ２に設けられており他の部分に対して突出する突出部１６Ｊに対して保持されている。よって、分離時干渉姿勢と分離時非干渉姿勢とをとり得る第２フック１８が、本体部ハウジング２０に取り付け易い。
又更に、突出部１６Ｊは、バッテリ装着用アダプタ２に設けられた第１フック１６（他のフック）の根元（一部）である。よって、分離時干渉姿勢と分離時非干渉姿勢とをとり得る第２フック１８と第１フック１６とを有するバッテリ装着用アダプタ２がコンパクトに形成される。
又、外部機器（スクリュードライバＳＤ）は、電動工具である。よって、電動工具が、バッテリＶを直接装着した場合に比べて軽くなり、作業性の向上が図られる。
【００２１】
尚、本発明の形態は、上記第１形態及びその変更例に限定されず、更に次のような変更が適宜施されても良い。
第１フック１６が姿勢変化可能とされても良い。各種のフックの姿勢変化は、回転に代えて、あるいは回転と共に、本体部ハウジング２０の長孔状等の取付部に対するフックの被取付部の移動によりなされても良い。
第１フック１６は、本体部ハウジング２０と別体であっても良い。
第２フック１８は、本体部ハウジング２０に別途設けられた突出部に取り付けられる等、第１フック１６以外の部分に取り付けられても良い。
第２フック１８の分離時非干渉姿勢は、第２フック１８が軸回りにおける回転角で５°程度動いても右本体部ハウジング２０Ｒに干渉しないように第２フック用溝１６ｂが広がって形成されること等により、所定の範囲にわたっても良い。
【００２２】
バッテリＶは、充電可能な二次電池ではなく一次電池であっても良いし、電動工具用バッテリでなく電気機器用バッテリ等であっても良いし、乾電池であっても良いし、乾電池を内蔵可能である乾電池パックであっても良いし、電動工具用バッテリと同様の外形を有していて乾電池を内蔵可能である乾電池パック（ダミーバッテリ）であっても良い。
バッテリＶがダミーバッテリである場合、バッテリ装着部に対し、電動工具用バッテリを取付可能でありながら、乾電池もダミーバッテリを介して取り付けることか可能となる。この場合、ダミーバッテリは、上述のバッテリＶと同様に、電力供給用の電源端子のみを有していても良いし、これに加えて信号用のバッテリ端子を有していても良い。
【００２３】
各種のネジ止め箇所は、爪及び圧接の少なくとも一方等による係止に変更しても良い。係止箇所の数あるいは配置、又はネジ止め箇所の数あるいは配置は、上述したものから変更されても良い。
電源線及び電源端子が１個又は３個以上とされたり、バッテリＶにスライドレールが設けられると共にバッテリ装着部１２にスライド溝が設けられたりする等、各種部材の形状、材質、配置、個数の少なくとも何れか等は、様々に変更されても良い。
外部機器は、園芸工具、クリーナ、ライト、ファン、ラジオ、スピーカー、コンプレッサー、及びコーヒーメーカーの少なくとも何れかであっても良い。
【００２４】
［第２形態］
図６は、本発明の第２形態に係るバッテリアダプタにおけるバッテリ装着用アダプタ１０２の図２（Ａ）同様図である。図７は、バッテリ装着用アダプタ１０２の図４同様図である。
第２形態に係るバッテリ装着用アダプタ１０２は、第１形態の第２フック１８に代えて第２Ａフック１１８が設けられ、又プレート４８が省略されることを除き、第１形態と同様に成る。第１形態と同様に成る部分には適宜同じ符号が付されて説明が省略される。
【００２５】
バッテリ装着用アダプタ１０２は、バッテリ装着用アダプタ本体部１０の前面から前方に突出する第２Ａフック１１８（第２フックの他の例）を備えている。
第２Ａフック１１８は、左本体部ハウジング２０Ｌと一体である、その前端部から前方へ突出する左部１１８ａ及びその前端部から右方へ突出する円筒状の架設部１１８ｂと、右本体部ハウジング２０Ｒと一体である、その前端部から前方へ突出する右部１１８ｃと、を有する。
右部１１８ｃの前端部には、左右に延びる孔１１８Ｈが形成されている。
左本体部ハウジング２０Ｌと右本体部ハウジング２０Ｒとが合わせられると、架設部１１８ｂの右端部と右部１１８ｃの前端部とが接触して、架設部１１８ｂの中央穴１１８Ｐ７と孔１１８Ｈとが重なる。それら孔１１８Ｈ及び中央穴１１８Ｐには、ネジ１１８Ｓが右方から入れられている。
尚、第２形態において、第１フック１６の第１フック付加部１１６Ｒの斜行面１１６ａには、第１形態の第１フック付加部１６Ｒの斜行面１６ａと異なり、第２フック用溝１６ｂが形成されていない。
【００２６】
かような第２形態のバッテリアダプタは、バッテリＶを装着可能なバッテリ装着部１２を有するバッテリ装着用アダプタ１０２と、バッテリ装着用アダプタ１０２と、外部機器取付用アダプタ４とに接続される電源コード６と、を備えており、バッテリ装着用アダプタ１０２は、第１フック１６と、第２Ａフック１１８とを有している。
よって、第２形態のバッテリアダプタでは、バッテリＶを装着可能なバッテリ装着用アダプタ１０２は、第１フック１６が掛けられる態様と、第２Ａフック１１８が掛けられる態様と、において保持され、作業者は、状況に応じて、何れかの態様を選択することができる。第２Ａフック１１８は、第１形態の第２フック１８のように軸回りで回転せず姿勢変化しないものの、第２フック１８より大きい剛性を確保可能である。
【００２７】
尚、第２形態のバッテリアダプタは、第１形態と同様の変更例を適宜有する。
又、第２形態のバッテリアダプタのバッテリ装着用アダプタ１０２において更に第１形態の第２フック１８が追加されること等により、バッテリ装着用アダプタ１０２が３種以上のフックを備えるものとされても良い。
【符号の説明】
【００２８】
１・・バッテリアダプタ、２・・バッテリ装着用アダプタ、４・・外部機器取付用アダプタ、６・・電源コード、１２・・バッテリ装着部、１６・・第１フック（他のフック）、１６ｂ・・第２フック用溝（第２取付部）、１６Ｊ・・突出部、１８・・第２フック（フック）、１８Ｌ・・左被取付部（第２フックの一端）、１８Ｒ・・右被取付部（第２フックの他端）、２０Ｌ・・左本体部ハウジング（第１ハウジング）、２０Ｒ・・右本体部ハウジング（第２ハウジング）、ＳＤ・・スクリュードライバ（外部機器）、Ｖ・・バッテリ。
【図１】
2020135997.tif 000003
【図２】
2020135997.tif 000004
【図３】
2020135997.tif 000005
【図４】
2020135997.tif 000006
【図５】
2020135997.tif 000007
【図６】
2020135997.tif 000008
【図７】
2020135997.tif 000009
【手続補正書】
【提出日】令和1年12月23日(2019.12.23)
【手続補正１】
【補正対象書類名】明細書
【補正対象項目名】００１６
【補正方法】変更
【補正の内容】
【００１６】
図２（Ｃ）に示されるように、常態では、ネジ２６が外れること等により左本体部ハウジング２０Ｌと右本体部ハウジング２０Ｒとが分離しようとしても、第１フック付加部１６Ｒが第２フック１８の右部１８ｃに引っ掛かり、又第１フック基部１６Ｌの根元が第２フック１８の左部１８ａに引っ掛かって、これらの分離が阻止されることとなる。
他方、図５に示されるように、第２フック１８が最大前傾姿勢から所定角度回転した姿勢（架設部１８ｂが所定の位置となった姿勢）となると、第２フック１８が、第１フック付加部１６Ｒに対し、左本体部ハウジング２０Ｌから右本体部ハウジング２０Ｒが分離する方向（左右方向，左から右への方向）において重ならない状態となる。即ち、図５の姿勢で、第２フック１８の右部１８ｃの各後上部及び各前部の後半が、第１フック付加部１６Ｒの斜行面１６ａより後方に位置する。又、右部１８ｃの各前部の前半が、第２フック用溝１６ｂの横断面形状に合致する姿勢となる。かような第２フック１８の姿勢は、以下分離時非干渉姿勢と適宜呼ばれる。
かように第２フック１８が、第１フック付加部１６Ｒに対し、右方からみて重ならない状態となると、図５（Ｃ）に示されるように、右本体部ハウジング２０Ｒが、左本体部ハウジング２０Ｌに対して右方に引かれることで、左本体部ハウジング２０Ｌから分離可能となる。
バッテリ装着用アダプタ２の組立時、左本体部ハウジング２０Ｌにおいて第１フック基部１６Ｌの第２フック取付用左孔に第２フック１８の左被取付部１８Ｌが入れられ、第２フック１８が第２フック取付部非干渉姿勢とされ、又プレート４８がセットされた状態で、左本体部ハウジング２０Ｌに右本体部ハウジング２０Ｒが近づけられて重ねられ、互いに重なった各ネジボス２２及びネジ孔２４にネジ２６が入れられることで、第２フック１８が取り付けられる。
【手続補正２】
【補正対象書類名】明細書
【補正対象項目名】００１７
【補正方法】変更
【補正の内容】
【００１７】
外部機器取付用アダプタ４は、バッテリＶと同様に、膨出部４Ｐ（前上部）と、レバー４Ｌ、アダプタ爪及び弾性体と、各スライド溝と、電源端子付きの各端子溝と、を有している。外部機器取付用アダプタ４の後端部には、電源コード６の外部機器取付用アダプタ側端部６Ｂが接続される。電源コード６の各電源線は、外部機器取付用アダプタ４の対応する電源端子と電気的に接続されている。
他方、スクリュードライバＳＤ等の外部機器は、バッテリ装着用アダプタ２のバッテリ装着部１２と同様に、スライドレールと、端子レール付きのターミナルと、を有するバッテリ装着部ＳＤＩを備えている。
外部機器取付用アダプタ４は、各スライド溝が対応するスライドレールに入り、各端子溝が対応する端子レールに入るようにしてバッテリ装着部ＳＤＩに装着され、装着時、各端子溝の電源端子が端子レールと接触して電気的に接続される。よって、スクリュードライバＳＤ等の外部機器が、そのバッテリ装着部ＳＤＩの各端子レール、外部機器取付用アダプタ４の各電源端子、電源コード６の各電源線、及びバッテリ装着用アダプタ２のバッテリ装着部１２の各端子レールを介して、バッテリＶの電源端子と電気的に接続される。  外部機器取付用アダプタ４は、バッテリセルを備えておらず、バッテリＶより軽い（例えば５００グラム軽い）ものとなっている。
尚、スクリュードライバＳＤ等の外部機器と電源コード６の後端部（外部機器取付用アダプタ側端部６Ｂ）とにおいて互いに連結可能な接続端子がそれぞれ設けられて、バッテリアダプタ１において外部機器取付用アダプタ４が省略されても良い。又、外部機器取付用アダプタ４と電源コード６の外部機器取付用アダプタ側端部６Ｂとにおいて互いに連結可能な接続端子がそれぞれ設けられて、電源コード６が外部機器取付用アダプタ４に対して着脱可能とされても良い。更に、バッテリ装着用アダプタ２と電源コード６のバッテリ装着用アダプタ側端部６Ａとにおいて互いに連結可能な接続端子がそれぞれ設けられて、電源コード６がバッテリ装着用アダプタ２に対して着脱可能とされても良い。